(57)【要約】【課題】本発明は自動的に芯を交換できるペンを開示した。【解決手段】ペン軸と前記ペン軸の下端に位置しているペン先を含み、前記ペン軸の中には上端壁が外部空間に連通しているペン芯チャンバが設けられ、前記ペン芯チャンバの下端壁には下端壁が前記ペン軸と前記ペン先とを貫通しており、且つ外部空間に連通している貫通穴が設けられ、簡単な押しによりペン芯の自動的な交換を完成し、また本装置によりペンの中に複数のペン芯を置くことができ、現有のペンと比べ、ペン芯の交換の時ペンの取り外しによりペンへのダメージを減少する。【選択図】図１
2020152090.tif 000002
【特許請求の範囲】
【請求項１】
ペン軸と前記ペン軸の下端に位置しているペン先を含み、前記ペン軸の中には上端壁が外部空間に連通しているペン芯チャンバが設けられ、前記ペン芯チャンバの下端壁には下端壁が前記ペン軸と前記ペン先とを貫通しており、且つ外部空間に連通している貫通穴が設けられ、前記ペン軸の上端の中には前記ペン芯チャンバに貫通された移動チャンバも設けられ、前記移動チャンバの中には押し動かし機構が設けられ、前記押し動かし機構は前記ペン芯チャンバの中に位置している固定ブロックを含み、前記固定ブロックの中には上方に開口し、且つ前記移動チャンバに連通している六つの移動溝が設けられ、前記固定ブロックの中には前記固定ブロックを貫いている貫き穴も設けられ、前記貫き穴と前記移動溝とが連通しており、前記貫き穴の中には前記貫き孔と摩擦できるように連結されたエアクッションリングが設けられ、前記ペン軸の上端には前記ペン軸の上端と連結されたペン蓋が設けられ、前記ペン蓋の中には昇降機構が設けられ、前記昇降機構は前記ペン蓋の中に位置している円チャンバを含み、前記円チャンバの四周には前記円チャンバと連通している六つのスライドチャンバが設けられ、前記スライドチャンバの下端壁の中には下端が前記ペン蓋と前記ペン軸とを貫通しており、且つ前記移動チャンバに連通しているスライド溝が設けられ、前記スライド溝の中には前記押し動かし機構の伝動により移動する連結ロッドが設けられ、前記連結ロッドの上端が前記スライドチャンバの中に位置しており、且つ前記連結ロッドの下端が前記移動チャンバの中に位置しており、前記連結ロッドの上端には一端が前記円チャンバの中に位置しているスライドブロックが固定的に連結され、前記スライドブロックの下端面には電磁石が植設され、前記円チャンバの上下端壁の間には円形エアクッションが固定的に連結され、前記円形チャンバの下端壁の中には昇降チャンバが設けられ、前記昇降チャンバの上端壁には前記スライドチャンバを連通している六つの昇降溝が設けられ、その作用は前記押し動かし機構と前記昇降機構との連動により自動的にペン芯を交換することを実現することであることを特徴とする自動的に芯を交換できるペン。
【請求項２】
前記押し動かし機構は前記移動溝の中でスライドする移動ブロックも含み、前記移動ブロックと前記移動溝の片側端壁との間には移動バネが固定的に連結され、前記移動ブロックの中には上下端壁が前記移動ブロックを貫通している摩擦穴が設けられ、前記ペン芯チャンバの中には前記摩擦穴と前記固定ブロックとを貫通している六つのペン芯が設けられ、前記移動チャンバの外端壁の中には六つの外部空間に連通している移動穴が設けられ、前記移動穴の中にはプッシュブロックが設けられ、前記プッシュブロックの一端が外部空間に位置しており、且つ前記プッシュブロックのもう一端が前記移動チャンバの中に位置しており、その作用は前記プッシュブロックのプッシュのもとに前記移動ブロックにより前記ペン芯を移動連動させることであることを特徴とする請求項１に記載の自動的に芯を交換できるペン。
【請求項３】
前記昇降機構は前記昇降チャンバの下端壁の中に位置しており、且つ下方に開口した位置制限溝を含み、前記位置制限溝の上端壁には前記昇降チャンバに連通しているリング溝が設けられ、前記昇降チャンバの中には昇降板が設けられ、前記昇降板の上端面には昇降バネが設けられ、前記昇降バネの上端と前記昇降チャンバの上端壁とが固定的に連結され、前記昇降板の上端面には六つの鉄ロッドも設けられ、前記昇降板の下端面には下端が前記リング溝と前記位置制限溝を貫通しており、且つ前記ペン芯チャンバの中に位置しているリングブロックが設けられ、前記リングブロックの内壁には二つの位置制限ブロックが固定的に連結され、前記リングブロックの内壁には押し板もスライドできるように連結され、その作用は前記ペン芯を下に押し出すあるいは引き上げることであることを特徴とする請求項１に記載の自動的に芯を交換できるペン。
【発明の詳細な説明】
【技術分野】
【０００１】
本発明は事務用品分野を取り上げて、具体的には自動的に芯を交換できるペンである。
【背景技術】
【０００２】
今、現階段のペンはペンの中のペン芯を使い切った後に、ペン芯を交換した後、完全的にペンを改めて組み合わせることができなく、ペンに一定程度の緩みを起こし、今後ペンの使用に影響し、更に現階段ほとんどの自動的に芯を交換できるペンは容量が小さくて交換が複雑であり、装填が複雑であり、交換効率を低める。
【先行技術文献】
【特許文献】
【０００３】
【特許文献１】中国特許出願公開第１０６１１３９９２号明細書
【発明の概要】
【発明が解決しようとする課題】
【０００４】
本発明の目的は自動的に芯を交換できるペンを提供し、それは上記の現在の技術中の問題を解決できる。
【課題を解決するための手段】
【０００５】
上記の課題を解決するため、本発明は以下の技術プランを採用する：本発明の自動的に芯を交換できるペンは、ペン軸と前記ペン軸の下端に位置しているペン先を含み、前記ペン軸の中には上端壁が外部空間に連通しているペン芯チャンバが設けられ、前記ペン芯チャンバの下端壁には下端壁が前記ペン軸と前記ペン先とを貫通しており、且つ外部空間に連通している貫通穴が設けられ、前記ペン軸の上端の中には前記ペン芯チャンバに貫通された移動チャンバも設けられ、前記移動チャンバの中には押し動かし機構が設けられ、前記押し動かし機構は前記ペン芯チャンバの中に位置している固定ブロックを含み、前記固定ブロックの中には上方に開口し、且つ前記移動チャンバに連通している六つの移動溝が設けられ、前記固定ブロックの中には前記固定ブロックを貫いている貫き穴も設けられ、前記貫き穴と前記移動溝とが連通しており、前記貫き穴の中には前記貫き孔と摩擦できるように連結されたエアクッションリングが設けられ、前記ペン軸の上端には前記ペン軸の上端と連結されたペン蓋が設けられ、前記ペン蓋の中には昇降機構が設けられ、前記昇降機構は前記ペン蓋の中に位置している円チャンバを含み、前記円チャンバの四周には前記円チャンバと連通している六つのスライドチャンバが設けられ、前記スライドチャンバの下端壁の中には下端が前記ペン蓋と前記ペン軸とを貫通しており、且つ前記移動チャンバに連通しているスライド溝が設けられ、前記スライド溝の中には前記押し動かし機構の伝動により移動する連結ロッドが設けられ、前記連結ロッドの上端が前記スライドチャンバの中に位置しており、且つ前記連結ロッドの下端が前記移動チャンバの中に位置しており、前記連結ロッドの上端には一端が前記円チャンバの中に位置しているスライドブロックが固定的に連結され、前記スライドブロックの下端面には電磁石が植設され、前記円チャンバの上下端壁の間には円形エアクッションが固定的に連結され、前記円形チャンバの下端壁の中には昇降チャンバが設けられ、前記昇降チャンバの上端壁には前記スライドチャンバを連通している六つの昇降溝が設けられ、その作用は前記押し動かし機構と前記昇降機構との連動により自動的にペン芯を交換することを実現することである。
【０００６】
優選の技術プランとして、前記押し動かし機構は前記移動溝の中でスライドする移動ブロックも含み、前記移動ブロックと前記移動溝の片側端壁との間には移動バネが固定的に連結され、前記移動ブロックの中には上下端壁が前記移動ブロックを貫通している摩擦穴が設けられ、前記ペン芯チャンバの中には前記摩擦穴と前記固定ブロックとを貫通している六つのペン芯が設けられ、前記移動チャンバの外端壁の中には六つの外部空間に連通している移動穴が設けられ、前記移動穴の中にはプッシュブロックが設けられ、前記プッシュブロックの一端が外部空間に位置しており、且つ前記プッシュブロックのもう一端が前記移動チャンバの中に位置しており、その作用は前記プッシュブロックのプッシュのもとに前記移動ブロックにより前記ペン芯を移動連動させることである。
【０００７】
優選の技術プランとして、前記昇降機構は前記昇降チャンバの下端壁の中に位置しており、且つ下方に開口した位置制限溝を含み、前記位置制限溝の上端壁には前記昇降チャンバに連通しているリング溝が設けられ、前記昇降チャンバの中には昇降板が設けられ、前記昇降板の上端面には昇降バネが設けられ、前記昇降バネの上端と前記昇降チャンバの上端壁とが固定的に連結され、前記昇降板の上端面には六つの鉄ロッドも設けられ、前記昇降板の下端面には下端が前記リング溝と前記位置制限溝を貫通しており、且つ前記ペン芯チャンバの中に位置しているリングブロックが設けられ、前記リングブロックの内壁には二つの位置制限ブロックが固定的に連結され、前記リングブロックの内壁には押し板もスライドできるように連結され、その作用は前記ペン芯を下に押し出すあるいは引き上げることである。
【発明の効果】
【０００８】
本発明は構造が簡単で、操作が便利であり、簡単な押しによりペン芯の自動的な交換を完成し、また本装置によりペンの中に複数のペン芯を置くことができ、現有のペンと比べ、ペン芯の交換の時ペンの取り外しによりペンへのダメージを減少し、現有の自動的にペン芯を交換できる装置と比べ、本装置が移動する時により便利で、効率が高い。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができ、
以下、図１−３を合わせて本発明について詳しく説明し、また、説明の便利を図るため、下記に記載の上下左右前後方向が図１自身の投影関係の上下左右前後方向と一致することにする。
【００１０】
【図１】図１は本発明の自動的に芯を交換できるペンの正面断面構成略図
【図２】図２は本発明の自動的に芯を交換できるペンの移動チャンバの上面断面拡大構成略図
【図３】図３は本発明の自動的に芯を交換できるペンの円チャンバの上面断面拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−３を参照し、本発明の自動的に芯を交換できるペンは、ペン軸３と前記ペン軸３の下端に位置しているペン先１を含み、前記ペン軸３の中には上端壁が外部空間に連通しているペン芯チャンバ４が設けられ、前記ペン芯チャンバ４の下端壁には下端壁が前記ペン軸３と前記ペン先１とを貫通しており、且つ外部空間に連通している貫通穴２が設けられ、前記ペン軸３の上端の中には前記ペン芯チャンバ４に貫通された移動チャンバ２８も設けられ、前記移動チャンバ２８の中には押し動かし機構３０が設けられ、前記押し動かし機構３０は前記ペン芯チャンバ４の中に位置している固定ブロック３２を含み、前記固定ブロック３２の中には上方に開口し、且つ前記移動チャンバ２８に連通している六つの移動溝２７が設けられ、前記固定ブロック３２の中には前記固定ブロック３２を貫いている貫き穴２９も設けられ、前記貫き穴２９と前記移動溝２７とが連通しており、前記貫き穴２９の中には前記貫き孔２９と摩擦できるように連結されたエアクッションリング６が設けられ、前記ペン軸３の上端には前記ペン軸３の上端と連結されたペン蓋１３が設けられ、前記ペン蓋１３の中には昇降機構３１が設けられ、前記昇降機構は前記ペン蓋１３の中に位置している円チャンバ３３を含み、前記円チャンバ３３の四周には前記円チャンバ３３と連通している六つのスライドチャンバ１７が設けられ、前記スライドチャンバ１７の下端壁の中には下端が前記ペン蓋１３と前記ペン軸３とを貫通しており、且つ前記移動チャンバ２８に連通しているスライド溝２３が設けられ、前記スライド溝２３の中には前記押し動かし機構３０の伝動により移動する連結ロッド２５が設けられ、前記連結ロッド２５の上端が前記スライドチャンバ１７の中に位置しており、且つ前記連結ロッド２５の下端が前記移動チャンバ２８の中に位置しており、前記連結ロッド２５の上端には一端が前記円チャンバ３３の中に位置しているスライドブロック１５が固定的に連結され、前記スライドブロック１５の下端面には電磁石１６が植設され、前記円チャンバ３３の上下端壁の間には円形エアクッション１９が固定的に連結され、前記円形チャンバ３３の下端壁の中には昇降チャンバ３４が設けられ、前記昇降チャンバ３４の上端壁には前記スライドチャンバ１７を連通している六つの昇降溝１４が設けられ、その作用は前記押し動かし機構３０と前記昇降機構３１との連動により自動的にペン芯を交換することを実現することである。
【００１３】
有益的には、前記押し動かし機構３０は前記移動溝２７の中でスライドする移動ブロック１０も含み、前記移動ブロック１０と前記移動溝２７の片側端壁との間には移動バネ８が固定的に連結され、前記移動ブロック１０の中には上下端壁が前記移動ブロック１０を貫通している摩擦穴７が設けられ、前記ペン芯チャンバ４の中には前記摩擦穴７と前記固定ブロック３２とを貫通している六つのペン芯５が設けられ、前記移動チャンバ２８の外端壁の中には六つの外部空間に連通している移動穴２６が設けられ、前記移動穴２６の中にはプッシュブロック９が設けられ、前記プッシュブロック９の一端が外部空間に位置しており、且つ前記プッシュブロック９のもう一端が前記移動チャンバ２８の中に位置しており、その作用は前記プッシュブロック９のプッシュのもとに前記移動ブロック１０により前記ペン芯５を移動連動させることである。
【００１４】
有益的には、前記昇降機構３１は前記昇降チャンバ３４の下端壁の中に位置しており、且つ下方に開口した位置制限溝１１を含み、前記位置制限溝１１の上端壁には前記昇降チャンバ３４に連通しているリング溝１２が設けられ、前記昇降チャンバ３４の中には昇降板２１が設けられ、前記昇降板２１の上端面には昇降バネ１８が設けられ、前記昇降バネ１８の上端と前記昇降チャンバ３４の上端壁とが固定的に連結され、前記昇降板２１の上端面には六つの鉄ロッド２２も設けられ、前記昇降板２１の下端面には下端が前記リング溝１２と前記位置制限溝１１を貫通しており、且つ前記ペン芯チャンバ４の中に位置しているリングブロック２０が設けられ、前記リングブロック２０の内壁には二つの位置制限ブロック３５が固定的に連結され、前記リングブロック２０の内壁には押し板２４もスライドできるように連結され、その作用は前記ペン芯５を下に押し出すあるいは引き上げることである。
【００１５】
以下、図１−３及び上記説明した本出願の自動的に芯を交換できるペンの具体的な構造を参照し、自動的に芯を交換できるペンの使用方法を説明する：
【００１６】
プッシュブロック９と移動穴２６との間の摩擦力が移動バネ８の弾力とエアクッションリング６が膨らむ時の作用力との和より遥かに大きく、初期状態では、前記エアクッションリング６と円形エアクッション１９とがいずれも限界まで膨らまていない。
【００１７】
左側のプッシュブロック９を押すことにより、左側の移動ブロック１０を移動連動させ、これにより左側の移動ブロック１０にエアクッションリング６を圧縮させ、左側の移動ブロック１０が左側のペン芯５を貫き穴２９の中心まで移動連動させた時に、エアクッションリング６が限界まで膨らみ、左側のプッシュブロック９が移動する時に左側の連結ロッド２５の伝動により左側のスライドブロック１５を移動連動させ、これにより左側の電磁石１６を連動させて左側の昇降溝１４の上方から移動し通り、左側のプッシュブロック９が止まった時、円形エアクッション１９が左側のスライドブロック１５に限界まで圧縮し膨らまされ、左側の電磁石１６が左側の昇降溝１４の上側を通る時、左側の鉄ロッド２２を上に移動連動させ、これにより昇降板２１を上に移動させ、昇降バネ１８が圧縮され、これによりリングブロック２０と、位置制限ブロック３５と、押し板２４とを上昇させる。
【００１８】
左側のペン芯５が貫通穴２９の中心に位置している時、左側の電磁ブロック１６がちょうど左側の昇降溝１４の上端壁から離れ、昇降板２１が重力と昇降バネ１８の作用により降下し、これによりリングブロック２０と押し板２４とが左側のペン芯５の上端に摩擦できるように連結され、また左側のペン芯５を下に押し出し、これにより左側のペン芯５の下端を外部空間に入らせる。
【００１９】
ペン芯５を交換する時、右側のプッシュブロック９を押し動かし、右側のプッシュブロック９の移動が右側の連結ロッド２５の伝動により右側のスライドブロック１５を移動連動させ、円形エアクッション１９の伝動により、左側のスライドブロック１５を復帰させ、左側のスライドブロック１５が復帰する過程で、昇降板２１が再び上昇し、位置制限溝１１と位置制限ブロック３５の協働により、左側のペン芯５をリングブロック２０の中から押し出し、右側のプッシュブロック９の移動とともにエアクッションリング６の作用により左側のプッシュブロック９を復帰させ、右側のペン芯５が上記のステップにより交換を完成する。
【００２０】
本発明の有益効果は：本発明は構造が簡単で、操作が便利であり、簡単な押しによりペン芯の自動的な交換を完成し、また本装置によりペンの中に複数のペン芯を置くことができ、現有のペンと比べ、ペン芯の交換の時ペンの取り外しによりペンへのダメージを減少し、現有の自動的にペン芯を交換できる装置と比べ、本装置が移動する時により便利で、効率が高い。
【００２１】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020152090.tif 000003
【図２】
2020152090.tif 000004
【図３】
2020152090.tif 000005
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
ペン軸と前記ペン軸の下端に位置しているペン先を含み、前記ペン軸の中には上端壁が外部空間に連通しているペン芯チャンバが設けられ、前記ペン芯チャンバの下端壁には下端壁が前記ペン軸と前記ペン先とを貫通しており、且つ外部空間に連通している貫通穴が設けられ、前記ペン軸の上端の中には前記ペン芯チャンバに貫通された移動チャンバも設けられ、前記移動チャンバの中には押し動かし機構が設けられ、前記押し動かし機構は前記ペン芯チャンバの中に位置している固定ブロックを含み、前記固定ブロックの中には上方に開口し、且つ前記移動チャンバに連通している六つの移動溝が設けられ、前記固定ブロックの中には前記固定ブロックを貫いている貫き穴も設けられ、前記貫き穴と前記移動溝とが連通しており、前記貫き穴の中には前記貫き孔と摩擦できるように連結されたエアクッションリングが設けられ、前記ペン軸の上端には前記ペン軸の上端と連結されたペン蓋が設けられ、前記ペン蓋の中には昇降機構が設けられ、前記昇降機構は前記ペン蓋の中に位置している円チャンバを含み、前記円チャンバの四周には前記円チャンバと連通している六つのスライドチャンバが設けられ、前記スライドチャンバの下端壁の中には下端が前記ペン蓋と前記ペン軸とを貫通しており、且つ前記移動チャンバに連通しているスライド溝が設けられ、前記スライド溝の中には前記押し動かし機構の伝動により移動する連結ロッドが設けられ、前記連結ロッドの上端が前記スライドチャンバの中に位置しており、且つ前記連結ロッドの下端が前記移動チャンバの中に位置しており、前記連結ロッドの上端には一端が前記円チャンバの中に位置しているスライドブロックが固定的に連結され、前記スライドブロックの下端面には電磁石が植設され、前記円チャンバの上下端壁の間には円形エアクッションが固定的に連結され、前記円チャンバの下端壁の中には昇降チャンバが設けられ、前記昇降チャンバの上端壁には前記スライドチャンバを連通している六つの昇降溝が設けられ、その作用は前記押し動かし機構と前記昇降機構との連動により自動的にペン芯を交換でき、
前記押し動かし機構は前記移動溝の中でスライドする移動ブロックも含み、前記移動ブロックと前記移動溝の片側端壁との間には移動バネが固定的に連結され、前記移動ブロックの中には上下端壁が前記移動ブロックを貫通している摩擦穴が設けられ、前記ペン芯チャンバの中には前記摩擦穴と前記固定ブロックとを貫通している六つのペン芯が設けられ、前記移動チャンバの外端壁の中には六つの外部空間に連通している移動穴が設けられ、前記移動穴の中にはプッシュブロックが設けられ、前記プッシュブロックの一端が外部空間に位置しており、且つ前記プッシュブロックのもう一端が前記移動チャンバの中に位置しており、その作用は前記プッシュブロックのプッシュのもとに前記移動ブロックにより前記ペン芯を移動連動させ、
前記昇降機構は前記昇降チャンバの下端壁の中に位置しており、且つ下方に開口した位置制限溝を含み、前記位置制限溝の上端壁には前記昇降チャンバに連通しているリング溝が設けられ、前記昇降チャンバの中には昇降板が設けられ、前記昇降板の上端面には昇降バネが設けられ、前記昇降バネの上端と前記昇降チャンバの上端壁とが固定的に連結され、前記昇降板の上端面には六つの鉄ロッドも設けられ、前記昇降板の下端面には下端が前記リング溝と前記位置制限溝を貫通しており、且つ前記ペン芯チャンバの中に位置しているリングブロックが設けられ、前記リングブロックの内壁には二つの位置制限ブロックが固定的に連結され、前記リングブロックの内壁には押し板もスライドできるように連結され、その作用は前記ペン芯を下に押し出すあるいは引き上げることであることを特徴とする自動的に芯を交換できるペン。
【手続補正２】
【補正対象書類名】明細書
【補正対象項目名】全文
【補正方法】変更
【補正の内容】
【発明の詳細な説明】
【技術分野】
【０００１】
本発明は事務用品分野を取り上げて、具体的には自動的に芯を交換できるペンである。
【背景技術】
【０００２】
今、現階段のペンはペンの中のペン芯を使い切った後に、ペン芯を交換した後、完全的にペンを改めて組み合わせることができなく、ペンに一定程度の緩みを起こし、今後ペンの使用に影響し、更に現階段ほとんどの自動的に芯を交換できるペンは容量が小さくて交換が複雑であり、装填が複雑であり、交換効率を低める。
【先行技術文献】
【特許文献】
【０００３】
【特許文献１】中国特許出願公開第１０６１１３９９２号明細書
【発明の概要】
【発明が解決しようとする課題】
【０００４】
本発明の目的は自動的に芯を交換できるペンを提供し、それは上記の現在の技術中の問題を解決できる。
【課題を解決するための手段】
【０００５】
上記の課題を解決するため、本発明は以下の技術プランを採用する：本発明の自動的に芯を交換できるペンは、ペン軸と前記ペン軸の下端に位置しているペン先を含み、前記ペン軸の中には上端壁が外部空間に連通しているペン芯チャンバが設けられ、前記ペン芯チャンバの下端壁には下端壁が前記ペン軸と前記ペン先とを貫通しており、且つ外部空間に連通している貫通穴が設けられ、前記ペン軸の上端の中には前記ペン芯チャンバに貫通された移動チャンバも設けられ、前記移動チャンバの中には押し動かし機構が設けられ、前記押し動かし機構は前記ペン芯チャンバの中に位置している固定ブロックを含み、前記固定ブロックの中には上方に開口し、且つ前記移動チャンバに連通している六つの移動溝が設けられ、前記固定ブロックの中には前記固定ブロックを貫いている貫き穴も設けられ、前記貫き穴と前記移動溝とが連通しており、前記貫き穴の中には前記貫き孔と摩擦できるように連結されたエアクッションリングが設けられ、前記ペン軸の上端には前記ペン軸の上端と連結されたペン蓋が設けられ、前記ペン蓋の中には昇降機構が設けられ、前記昇降機構は前記ペン蓋の中に位置している円チャンバを含み、前記円チャンバの四周には前記円チャンバと連通している六つのスライドチャンバが設けられ、前記スライドチャンバの下端壁の中には下端が前記ペン蓋と前記ペン軸とを貫通しており、且つ前記移動チャンバに連通しているスライド溝が設けられ、前記スライド溝の中には前記押し動かし機構の伝動により移動する連結ロッドが設けられ、前記連結ロッドの上端が前記スライドチャンバの中に位置しており、且つ前記連結ロッドの下端が前記移動チャンバの中に位置しており、前記連結ロッドの上端には一端が前記円チャンバの中に位置しているスライドブロックが固定的に連結され、前記スライドブロックの下端面には電磁石が植設され、前記円チャンバの上下端壁の間には円形エアクッションが固定的に連結され、前記円チャンバの下端壁の中には昇降チャンバが設けられ、前記昇降チャンバの上端壁には前記スライドチャンバを連通している六つの昇降溝が設けられ、その作用は前記押し動かし機構と前記昇降機構との連動により自動的にペン芯を交換することを実現することである。
【０００６】
優選の技術プランとして、前記押し動かし機構は前記移動溝の中でスライドする移動ブロックも含み、前記移動ブロックと前記移動溝の片側端壁との間には移動バネが固定的に連結され、前記移動ブロックの中には上下端壁が前記移動ブロックを貫通している摩擦穴が設けられ、前記ペン芯チャンバの中には前記摩擦穴と前記固定ブロックとを貫通している六つのペン芯が設けられ、前記移動チャンバの外端壁の中には六つの外部空間に連通している移動穴が設けられ、前記移動穴の中にはプッシュブロックが設けられ、前記プッシュブロックの一端が外部空間に位置しており、且つ前記プッシュブロックのもう一端が前記移動チャンバの中に位置しており、その作用は前記プッシュブロックのプッシュのもとに前記移動ブロックにより前記ペン芯を移動連動させることである。
【０００７】
優選の技術プランとして、前記昇降機構は前記昇降チャンバの下端壁の中に位置しており、且つ下方に開口した位置制限溝を含み、前記位置制限溝の上端壁には前記昇降チャンバに連通しているリング溝が設けられ、前記昇降チャンバの中には昇降板が設けられ、前記昇降板の上端面には昇降バネが設けられ、前記昇降バネの上端と前記昇降チャンバの上端壁とが固定的に連結され、前記昇降板の上端面には六つの鉄ロッドも設けられ、前記昇降板の下端面には下端が前記リング溝と前記位置制限溝を貫通しており、且つ前記ペン芯チャンバの中に位置しているリングブロックが設けられ、前記リングブロックの内壁には二つの位置制限ブロックが固定的に連結され、前記リングブロックの内壁には押し板もスライドできるように連結され、その作用は前記ペン芯を下に押し出すあるいは引き上げることである。
【発明の効果】
【０００８】
本発明は構造が簡単で、操作が便利であり、簡単な押しによりペン芯の自動的な交換を完成し、また本装置によりペンの中に複数のペン芯を置くことができ、現有のペンと比べ、ペン芯の交換の時ペンの取り外しによりペンへのダメージを減少し、現有の自動的にペン芯を交換できる装置と比べ、本装置が移動する時により便利で、効率が高い。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができ、
以下、図１−３を合わせて本発明について詳しく説明し、また、説明の便利を図るため、下記に記載の上下左右前後方向が図１自身の投影関係の上下左右前後方向と一致することにする。
【００１０】
【図１】図１は本発明の自動的に芯を交換できるペンの正面断面構成略図
【図２】図２は本発明の自動的に芯を交換できるペンの移動チャンバの上面断面拡大    構成略図
【図３】図３は本発明の自動的に芯を交換できるペンの円チャンバの上面断面拡大構    成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−３を参照し、本発明の自動的に芯を交換できるペンは、ペン軸３と前記ペン軸３の下端に位置しているペン先１を含み、前記ペン軸３の中には上端壁が外部空間に連通しているペン芯チャンバ４が設けられ、前記ペン芯チャンバ４の下端壁には下端壁が前記ペン軸３と前記ペン先１とを貫通しており、且つ外部空間に連通している貫通穴２が設けられ、前記ペン軸３の上端の中には前記ペン芯チャンバ４に貫通された移動チャンバ２８も設けられ、前記移動チャンバ２８の中には押し動かし機構３０が設けられ、前記押し動かし機構３０は前記ペン芯チャンバ４の中に位置している固定ブロック３２を含み、前記固定ブロック３２の中には上方に開口し、且つ前記移動チャンバ２８に連通している六つの移動溝２７が設けられ、前記固定ブロック３２の中には前記固定ブロック３２を貫いている貫き穴２９も設けられ、前記貫き穴２９と前記移動溝２７とが連通しており、前記貫き穴２９の中には前記貫き孔２９と摩擦できるように連結されたエアクッションリング６が設けられ、前記ペン軸３の上端には前記ペン軸３の上端と連結されたペン蓋１３が設けられ、前記ペン蓋１３の中には昇降機構３１が設けられ、前記昇降機構は前記ペン蓋１３の中に位置している円チャンバ３３を含み、前記円チャンバ３３の四周には前記円チャンバ３３と連通している六つのスライドチャンバ１７が設けられ、前記スライドチャンバ１７の下端壁の中には下端が前記ペン蓋１３と前記ペン軸３とを貫通しており、且つ前記移動チャンバ２８に連通しているスライド溝２３が設けられ、前記スライド溝２３の中には前記押し動かし機構３０の伝動により移動する連結ロッド２５が設けられ、前記連結ロッド２５の上端が前記スライドチャンバ１７の中に位置しており、且つ前記連結ロッド２５の下端が前記移動チャンバ２８の中に位置しており、前記連結ロッド２５の上端には一端が前記円チャンバ３３の中に位置しているスライドブロック１５が固定的に連結され、前記スライドブロック１５の下端面には電磁石１６が植設され、前記円チャンバ３３の上下端壁の間には円形エアクッション１９が固定的に連結され、前記円チャンバ３３の下端壁の中には昇降チャンバ３４が設けられ、前記昇降チャンバ３４の上端壁には前記スライドチャンバ１７を連通している六つの昇降溝１４が設けられ、その作用は前記押し動かし機構３０と前記昇降機構３１との連動により自動的にペン芯を交換することを実現することである。
【００１３】
有益的には、前記押し動かし機構３０は前記移動溝２７の中でスライドする移動ブロック１０も含み、前記移動ブロック１０と前記移動溝２７の片側端壁との間には移動バネ８が固定的に連結され、前記移動ブロック１０の中には上下端壁が前記移動ブロック１０を貫通している摩擦穴７が設けられ、前記ペン芯チャンバ４の中には前記摩擦穴７と前記固定ブロック３２とを貫通している六つのペン芯５が設けられ、前記移動チャンバ２８の外端壁の中には六つの外部空間に連通している移動穴２６が設けられ、前記移動穴２６の中にはプッシュブロック９が設けられ、前記プッシュブロック９の一端が外部空間に位置しており、且つ前記プッシュブロック９のもう一端が前記移動チャンバ２８の中に位置しており、その作用は前記プッシュブロック９のプッシュのもとに前記移動ブロック１０により前記ペン芯５を移動連動させることである。
【００１４】
有益的には、前記昇降機構３１は前記昇降チャンバ３４の下端壁の中に位置しており、且つ下方に開口した位置制限溝１１を含み、前記位置制限溝１１の上端壁には前記昇降チャンバ３４に連通しているリング溝１２が設けられ、前記昇降チャンバ３４の中には昇降板２１が設けられ、前記昇降板２１の上端面には昇降バネ１８が設けられ、前記昇降バネ１８の上端と前記昇降チャンバ３４の上端壁とが固定的に連結され、前記昇降板２１の上端面には六つの鉄ロッド２２も設けられ、前記昇降板２１の下端面には下端が前記リング溝１２と前記位置制限溝１１を貫通しており、且つ前記ペン芯チャンバ４の中に位置しているリングブロック２０が設けられ、前記リングブロック２０の内壁には二つの位置制限ブロック３５が固定的に連結され、前記リングブロック２０の内壁には押し板２４もスライドできるように連結され、その作用は前記ペン芯５を下に押し出すあるいは引き上げることである。
【００１５】
以下、図１−３及び上記説明した本出願の自動的に芯を交換できるペンの具体的な構造を参照し、自動的に芯を交換できるペンの使用方法を説明する：
【００１６】
プッシュブロック９と移動穴２６との間の摩擦力が移動バネ８の弾力とエアクッションリング６が膨らむ時の作用力との和より遥かに大きく、初期状態では、前記エアクッションリング６と円形エアクッション１９とがいずれも限界まで膨らまていない。
【００１７】
左側のプッシュブロック９を押すことにより、左側の移動ブロック１０を移動連動させ、これにより左側の移動ブロック１０にエアクッションリング６を圧縮させ、左側の移動ブロック１０が左側のペン芯５を貫き穴２９の中心まで移動連動させた時に、エアクッションリング６が限界まで膨らみ、左側のプッシュブロック９が移動する時に左側の連結ロッド２５の伝動により左側のスライドブロック１５を移動連動させ、これにより左側の電磁石１６を連動させて左側の昇降溝１４の上方から移動し通り、左側のプッシュブロック９が止まった時、円形エアクッション１９が左側のスライドブロック１５に限界まで圧縮し膨らまされ、左側の電磁石１６が左側の昇降溝１４の上側を通る時、左側の鉄ロッド２２を上に移動連動させ、これにより昇降板２１を上に移動させ、昇降バネ１８が圧縮され、これによりリングブロック２０と、位置制限ブロック３５と、押し板２４とを上昇させる。
【００１８】
左側のペン芯５が貫通穴２９の中心に位置している時、左側の電磁ブロック１６がちょうど左側の昇降溝１４の上端壁から離れ、昇降板２１が重力と昇降バネ１８の作用により降下し、これによりリングブロック２０と押し板２４とが左側のペン芯５の上端に摩擦できるように連結され、また左側のペン芯５を下に押し出し、これにより左側のペン芯５の下端を外部空間に入らせる。
【００１９】
ペン芯５を交換する時、右側のプッシュブロック９を押し動かし、右側のプッシュブロック９の移動が右側の連結ロッド２５の伝動により右側のスライドブロック１５を移動連動させ、円形エアクッション１９の伝動により、左側のスライドブロック１５を復帰させ、左側のスライドブロック１５が復帰する過程で、昇降板２１が再び上昇し、位置制限溝１１と位置制限ブロック３５の協働により、左側のペン芯５をリングブロック２０の中から押し出し、右側のプッシュブロック９の移動とともにエアクッションリング６の作用により左側のプッシュブロック９を復帰させ、右側のペン芯５が上記のステップにより交換を完成する。
【００２０】
本発明の有益効果は：本発明は構造が簡単で、操作が便利であり、簡単な押しによりペン芯の自動的な交換を完成し、また本装置によりペンの中に複数のペン芯を置くことができ、現有のペンと比べ、ペン芯の交換の時ペンの取り外しによりペンへのダメージを減少し、現有の自動的にペン芯を交換できる装置と比べ、本装置が移動する時により便利で、効率が高い。
【００２１】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。